(57)【要約】【課題】天面にソーラーパネルを備えた自動販売機で、設置によらずソーラーパネルの最適な方位を得るとともに、自動販売機からソーラーパネルのはみ出しを防止することができる自動販売機を提供することを目的とする。【解決手段】ソーラーパネル２を支持するパネル連結手段３は天面支持手段５に対して回動可能とし、パネル連結手段３はパネル載置手段４に対して回動可能としたことにより、天面支持手段５とパネル載置手段４の回動支持で最適な方位を得ることができ、ソーラーパネル２での発電効率を高めることができるとともに、パネル連結手段３とパネル載置手段４の回動支持でソーラーパネル２の上方からの投影面を適切に回転させることで、自動販売機からソーラーパネル２のはみ出しを防止することができる。【選択図】図１
2012059189.tif 000002
【特許請求の範囲】
【請求項１】
自動販売機の天面にソーラーパネルを備えたもので、前記ソーラーパネルはパネル連結手段に支持され、前記パネル連結手段は所定の仰角を形成するパネル載置手段に支持され、前記パネル載置手段は前記天面の天面支持手段に支持されるとともに、前記パネル載置手段は前記天面支持手段に対して回動可能とし、前記パネル連結手段は前記パネル載置手段に対して回動可能としたことを特徴とする自動販売機。
【請求項２】
前記天面支持手段と前記パネル載置手段を所定の回転角度で固定する下部固定手段を備えたことを特徴とする請求項１に記載の自動販売機。
【請求項３】
前記パネル連結手段と前記パネル載置手段を所定の回転角度で固定する上部固定手段を備えたことを特徴とする請求項１または２に記載の自動販売機。
【請求項４】
前記下部固定手段あるいは上部固定手段は円形に配置した孔を備えたことを特徴とする請求項２または３に記載の自動販売機。
【請求項５】
円形に配置した固定手段は回転軸に対して同心円状に形成したことを特徴とする請求項４に記載の自動販売機。
【請求項６】
前記固定手段は一方に形成した凸部と他方に形成した凹部と締結手段とを備えたことを特徴とする請求項２から５のいずれか一項に記載の自動販売機。
【請求項７】
前記ソーラーパネルは上方からの投影面で自動販売機の天面に収まるように配置したことを特徴とする請求項１から６のいずれか一項に記載の自動販売機。
【発明の詳細な説明】
【技術分野】
【０００１】
本発明は、自動販売機の天面にソーラーパネルを取り付ける構造に関するものである。
【背景技術】
【０００２】
近年、世界各国で温室効果ガスの削減が謳われている。自動販売機は例外なくその対象であり、ヒートポンプシステム、真空断熱材などの採用により省エネルギー化を進めている。また、ソーラーパネルを備えることで、自動販売機の消費電力の一部を太陽光発電によって賄い、自動販売機で使用される商用電源の省エネルギー化を目的とした自動販売機の開発は行われている（例えば、特許文献１、２参照）。
【０００３】
以下、上記従来の自動販売機について説明する。
【０００４】
設置時にソーラーパネルを固定する自動販売機は、ソーラーパネルを設置する際に仰角を可変でき、自動販売機の高さや季節によって仰角を変えることで太陽光の最適な入射仰角度を得ている。
【０００５】
また、ソーラーパネルが可動式のものは自動販売機の屋根に、モータによって方位角方向に回転駆動させるソーラーパネルを備え、また受光センサを設けることによって、ソーラーパネルが受ける太陽光の入射量が所定以下の場合、モータを駆動する。そして、受光センサによって太陽光の入射量を十分受けるようになるとモータを停止するようにモータを制御することで、太陽電池パネルでの発電効率を高めている。
【先行技術文献】
【特許文献】
【０００６】
【特許文献１】特開平５−８９３３０号公報
【特許文献２】特開２００９−１６３４０１号公報
【発明の概要】
【発明が解決しようとする課題】
【０００７】
しかしながら、上記従来のソーラーパネルを備えた自動販売機は、ソーラーパネルを固定しているものは、設置の際にソーラーパネルを仰角方向にしか設定できず、方位角方向は自動販売機の商品ディスプレイと同じ向きでしか設置できなかった。また、可動式の自動販売機では太陽光の入射量を時間変化によって対応しようとするあまり、ソーラーパネルの方位角度をモータと受光センサという電気的手段によって調節する構造であるため、材料費や維持費が高いという課題を有していた。
【０００８】
さらに、上記従来のソーラーパネルを備えた自動販売機は方位角方向に回転させるときに、自動販売機の正面や、背面にソーラーパネルがはみ出すことになる。正面のはみ出しにおいては、雨天時、自動販売機の利用者がソーラーパネルを伝う水が掛かることや、ディスプレイや選択ボタンに伝い商品サンプルが見づらくなるという課題や、極寒時には、はみ出た部分に氷柱ができ、利用者に不安を与えたり、ディスプレイ表面を傷つけるという課題を有していた。また、背面のはみ出しにおいては、背面に障害物があるところには設置できないことや、ソーラーパネルを回転できないという課題を有していた。
【０００９】
本発明は上記従来の課題を解決するものであり、電気的手段をなくした上での最適な角度を得るソーラーパネル取り付け構造を有することで、材料費、維持費を最小限にとどめるとともに、自動販売機からのソーラーパネルのはみ出しをなくす自動販売機を提供する
ことを目的とする。
【課題を解決するための手段】
【００１０】
上記従来の課題を解決するために、本発明の自動販売機は、自動販売機の天面にソーラーパネルを備えたもので、前記ソーラーパネルはパネル連結手段に支持され、前記パネル連結手段は所定の仰角を形成するパネル載置手段に支持され、前記パネル載置手段は前記天面の天面支持手段に支持されるとともに、前記パネル載置手段は前記天面支持手段に対して回動可能とし、前記パネル連結手段は前記パネル載置手段に対して回動可能としたものである。
【００１１】
これによって、ソーラーパネルはパネル載置手段で最適な仰角を得、天面支持手段とパネル載置手段の回動支持で最適な方位を得ることができるとともに、パネル連結手段とパネル載置手段の回動支持でソーラーパネルの上方からの投影面を適切に回転させることができる。
【発明の効果】
【００１２】
本発明の自動販売機は、簡素な構造で、天面支持手段とパネル載置手段の回動支持で最適な方位を得ることができ、ソーラーパネルでの発電効率を高めることができるとともに、パネル連結手段とパネル載置手段の回動支持でソーラーパネルの上方からの投影面を適切に回転させることで、自動販売機からソーラーパネルのはみ出しを防止することができる。
【図面の簡単な説明】
【００１３】
【図１】本発明の実施の形態１における自動販売機の前方斜視図
【図２】同実施の形態における自動販売機の後方斜視図
【図３】同実施の形態における自動販売機の要部後方斜視図
【図４】同実施の形態における自動販売機の要部分解図
【図５】同実施の形態における自動販売機の天面支持手段の正面図
【図６】同実施の形態における自動販売機の天面支持手段の側面図
【図７】同実施の形態における自動販売機の天面支持手段の側面図
【図８】同実施の形態における自動販売機のパネル載置手段の正面図
【図９】同実施の形態における自動販売機のパネル載置手段の側面図
【図１０】同実施の形態における自動販売機のパネル載置手段の底面図
【図１１】同実施の形態における自動販売機のパネル連結手段の正面図
【図１２】同実施の形態における自動販売機のソーラーパネルの動作を説明した斜視図
【図１３】同実施の形態における自動販売機のソーラーパネルの動作を説明した平面図
【図１４】同実施の形態における自動販売機のソーラーパネルの動作を説明した斜視図
【図１５】同実施の形態における自動販売機のソーラーパネルの動作を説明した平面図
【発明を実施するための形態】
【００１４】
請求項１に記載の発明は、自動販売機の天面にソーラーパネルを備えたもので、前記ソーラーパネルはパネル連結手段に支持され、前記パネル連結手段は所定の仰角を形成するパネル載置手段に支持され、前記パネル載置手段は前記天面の天面支持手段に支持されるとともに、前記パネル載置手段は前記天面支持手段に対して回動可能とし、前記パネル連結手段は前記パネル載置手段に対して回動可能としたものであり、簡素な構造で、天面支持手段とパネル載置手段の回動支持で最適な方位を得ることができ、ソーラーパネルでの
発電効率を高めることができるとともに、パネル連結手段とパネル載置手段の回動支持でソーラーパネルの上方からの投影面を適切に回転させることで、自動販売機からソーラーパネルのはみ出しを防止することができる。
【００１５】
請求項２に記載の発明は、請求項１に記載の発明において、前記天面支持手段と前記パネル載置手段を所定の回転角度で固定する下部固定手段を備えたものであり、天面支持手段とパネル載置手段を任意の場所に固定することができる。
【００１６】
請求項３に記載の発明は、請求項１または２に記載の発明において、前記パネル連結手段と前記パネル載置手段を所定の回転角度で固定する上部固定手段を備えたものであり、パネル連結手段とパネル載置手段を任意の場所に固定することができる。
【００１７】
請求項４に記載の発明は、請求項２または３に記載の発明において、前記下部固定手段あるいは上部固定手段は円形に配置した孔を備えたものであり、天面支持手段とパネル載置手段、あるいはパネル連結手段とパネル載置手段を任意の角度で確実に固定することができる。
【００１８】
請求項５に記載の発明は、円形に配置した固定手段は回転軸に対して同心円状に形成したものであり、回転軸を中心として任意の角度に容易に固定することができる。
【００１９】
請求項６に記載の発明は、前記固定手段は一方に形成した凸部と他方に形成した凹部と締結手段とを備えたものであり、固定手段での角度の変更を容易に確実に行うことができる。
【００２０】
請求項７に記載の発明は、請求項１から６のいずれか一項に記載の発明において、前記ソーラーパネルは上方からの投影面で自動販売機の天面に収まるように配置したものであり、ソーラーパネルのはみ出しによる不具合を防止することができる。
【００２１】
以下、本発明の実施の形態について、図面を参照しながら説明する。なお、この実施の形態によってこの発明が限定されるものではない。
【００２２】
（実施の形態１）
図１は本発明の実施の形態１における自動販売機の前方斜視図、図２は同実施の形態における自動販売機の後方斜視図、図３は同実施の形態における自動販売機の要部後方斜視図、図４は同実施の形態における自動販売機の要部分解図、図５は同実施の形態における自動販売機の天面支持手段の正面図、図６、図７は同実施の形態における自動販売機の天面支持手段の側面図、図８は同実施の形態における自動販売機のパネル載置手段の正面図、図９は同実施の形態における自動販売機のパネル載置手段の側面図、図１０は同実施の形態における自動販売機のパネル載置手段の底面図、図１１は同実施の形態における自動販売機のパネル連結手段の正面図、図１２は同実施の形態における自動販売機のソーラーパネルの動作を説明した斜視図、図１３は同実施の形態における自動販売機のソーラーパネルの動作を説明した平面図、図１４は同実施の形態における自動販売機のソーラーパネルの動作を説明した斜視図、図１５は同実施の形態における自動販売機のソーラーパネルの動作を説明した平面図である。
【００２３】
図１から図４において、自動販売機１は内部に商品を収納し冷却装置・加温装置により所定の温度に冷却あるいは加温され、購入者の所定の操作により商品を搬出するものである。自動販売機１の冷却装置、加温装置、照明装置等の動作は、通常の商用電源装置に加えて自動販売機１の天面に備えたソーラーパネル２とで行うもので、具体的には自動販売機１の照明装置の電力をソーラーパネル２で図示しないバッテリに蓄電して供給し賄うこ
とができるように構成している。
【００２４】
ソーラーパネル２はパネル連結手段３により下面および側面を覆うように支持されており、パネル連結手段３は所定の仰角、具体的には、上方約３０度としたパネル載置手段４に支持され、パネル載置手段４は天面の天面支持手段５に支持されている。そして、パネル載置手段４は天面支持手段５に対して回動可能とし、パネル連結手段３はパネル載置手段４に対して回動可能に支持されている。
【００２５】
また、天面支持手段５とパネル載置手段４の連結部には所定の回転角度で固定可能にする下部固定手段６を備え、パネル連結手段３とパネル載置手段４の連結部にも所定の回転角度で固定可能にする上部固定手段７をそれぞれ有している。
【００２６】
具体的には、下部固定手段６は、天面支持手段５の略中央部に円筒状にエンボス加工で形成した凸部８と、凸部８の中心部から凸部８より外側で同心円状に円形に配置した複数の孔９と、パネル載置手段４の底面部１０の底面から見て凹状の凹部１３と、凹部１３の外側に備えた４点の孔１４とを備え、凸部８が凹部１３に嵌合しながら回動可能とし、任意の回転位置で４点の孔１４と複数の孔９のいずれかが合致するように配置され、所定の回転角度で４点の孔１４と複数の孔９の４点をボルトとナット等（図示せず）の締結手段で固定可能としている。
【００２７】
また、上部固定手段７は、パネル連結手段３の略中央部に円筒状にエンボス加工で形成した凸部１７と、凸部１７の中心部から凸部８より外側で同心円状に円形に配置した複数の孔１８と、パネル載置手段４の上面部１２の上面から見て凹状の凹部１５と、凹部１５の外側に備えた４点の孔１６とを備え、凸部１７が凹部１５に嵌合しながら回動可能とし、任意の回転位置で４点の孔１６と複数の孔１８のいずれかが合致するように配置され、所定の回転角度で４点の孔１６と複数の孔１８の４点をボルトとナット等（図示せず）の締結手段で固定可能としている。
【００２８】
また、パネル載置手段４の上面部１２は、所定の仰角、たとえば上方約３０度に設定され、パネル載置手段４は上面部１２と底面部１０とを繋ぐ上下方向の複数の梁１１を備えている。
【００２９】
また、パネル連結手段３の前面四隅にはソーラーパネル２の正面四隅を覆うコーナーピース３ａを備え、コーナーピース３ａには各二点ずつ固定手段を備えている。
【００３０】
また、天面支持手段５は、自動販売機１の天面２点、背面各２点にボルトとナットで天面に配置、固定されている。
【００３１】
以上のように構成された自動販売機について、以下その動作、作用を説明する。
【００３２】
自動販売機１は内部に商品を収納し冷却装置・加温装置により所定の温度に冷却あるいは加温され、購入者の所定の操作により商品を搬出するもので、通常の商用電源装置に加えて自動販売機１の天面にソーラーパネル２を備え、自動販売機１の照明装置の電力をソーラーパネル２から例えばバッテリに蓄電して供給し賄うことができるものである。
【００３３】
ソーラーパネル２を自動販売機１の天面に設置するために、ソーラーパネル２はパネル連結手段３により下面および側面を覆うように支持されており、パネル連結手段３は所定の仰角、具体的には、上方約３０度としたパネル載置手段４に支持され、パネル載置手段４は天面の天面支持手段５に支持されている。そして、パネル載置手段４は天面支持手段５に対して回動可能とし、パネル連結手段３はパネル載置手段４に対して回動可能に支持
されている。
【００３４】
すなわち、天面支持手段５とパネル載置手段４の連結部には所定の回転角度で固定可能にする下部固定手段６を備え、パネル連結手段３とパネル載置手段４の連結部にも所定の回転角度で固定可能にする上部固定手段７をそれぞれ有しているので、自動販売機１を所定の位置に配置した後、ソーラーパネル２が南向きになるようにパネル載置手段４を回動し、下部固定手段６で固定する（図１２、図１３のソーラーパネル２を方位角方向Ｂに回動する点を参照）。その後、ソーラーパネル２を支持したパネル連結手段３をパネル載置手段４に対して回動させ、ソーラーパネル２が上方から見て投影面で自動販売機の天面に収まるように所定の角度に設定した後に上部固定手段７で固定する（図１４、図１５のソーラーパネル２が南向きのままソーラーパネル２のみを支持部を中心としてＣ方向に回転させる点を参照）。
【００３５】
これにより、自動販売機１の設置方向に拘らずソーラーパネル２を南向きに設置することで、簡素な構造でソーラーパネルでの発電効率を高めることができるとともに、ソーラーパネル２の自動販売機１本体からのはみ出しを防止することができる。
【００３６】
これにより、雨天時、自動販売機の利用者がソーラーパネル２を伝う水が掛かることもなくなり、ディスプレイや選択ボタンが見づらくなることもない。また、背面スペースに余裕がない場所でも設置が可能となる。
【００３７】
また、天面支持手段５とパネル載置手段４の連結部には所定の回転角度で固定可能にする下部固定手段６を備え、パネル連結手段３とパネル載置手段４の連結部にも所定の回転角度で固定可能にする上部固定手段７をそれぞれ有しているので、パネル載置手段４およびパネル連結手段３を任意の角度に固定することができる。
【００３８】
また、下部固定手段６は、天面支持手段５の略中央部に円筒状にエンボス加工で形成した凸部８と、凸部８の中心部から凸部８より外側で同心円状に円形に配置した複数の孔９と、凹部１３の外側に備えた４点の孔１４とを備え、凸部８が凹部１３に嵌合しながら回動可能とし、任意の回転位置で４点の孔１４と複数の孔９のいずれかが合致するように配置されているので、操作性もよく、任意の角度で確実に固定することができる。また、上部固定手段７に関しても、下部固定手段６と同様の構造を備えており、同様の作用効果を奏する。
【００３９】
なお、天面支持手段５は自動販売機１の天面前部と背面上部という自動販売機１の販売機能、冷却、加温という本来の機能を損なわない限られた位置で固定しており、天面支持手段５を固定するボルトナットは上面と背面の縦方向と横方向の締め付けによって振動による緩みや引きはがれのリスクを分散させている。
【００４０】
また、パネル載置手段４は上面部１２と底面部１０とを繋ぐ上下方向の複数の梁１１を備えているので、パネル載置手段４の強度を高めることができる。
【００４１】
また、パネル連結手段３の前面四隅にはソーラーパネル２の正面四隅を覆うコーナーピース３ａを備え、コーナーピース３ａには各二点ずつ固定手段を備えているので、強風等にも十分耐えられる構成とすることができる。
【００４２】
なお、エンボス加工で形成した凸部および対向する凹部については、凹凸の構造を逆としてももちろんよい。
【００４３】
また、下部固定手段６および上部固定手段７はソーラーパネル２の防盗性を高めるため
に、特殊なボルトナット構造としたり、ボルトナット位置を容易に手が届かない配置とすることも可能である。
【産業上の利用可能性】
【００４４】
以上のように、本発明にかかる自動販売機は、ソーラーパネルでの発電効率を高めることができるとともに、自動販売機からソーラーパネルのはみ出しを防止することができるので、ソーラーパネルを天面に備えた機器に適用できる。
【符号の説明】
【００４５】
１  自動販売機
２  ソーラーパネル
３  パネル連結手段
４  パネル載置手段
５  天面支持手段
６  下部固定手段
７  上部固定手段
８、１７  凸部
９、１４、１６、１８  孔
１３、１５  凹部
【図１】
2012059189.tif 000003
【図２】
2012059189.tif 000004
【図３】
2012059189.tif 000005
【図４】
2012059189.tif 000006
【図５】
2012059189.tif 000007
【図６】
2012059189.tif 000008
【図７】
2012059189.tif 000009
【図８】
2012059189.tif 000010
【図９】
2012059189.tif 000011
【図１０】
2012059189.tif 000012
【図１１】
2012059189.tif 000013
【図１２】
2012059189.tif 000014
【図１３】
2012059189.tif 000015
【図１４】
2012059189.tif 000016
【図１５】
2012059189.tif 000017